(57)【特許請求の範囲】
【請求項１】
印刷または印刷後処理に関する工程を実施する工程実施装置を備える移動体を通信可能に複数接続し、前記移動体において前記工程を実施する移動印刷サービスを提供する移動印刷サービス提供システムであって、
印刷または印刷後処理の仕様を含む納品指示情報を取得する納品指示情報取得手段と、前記納品指示情報取得手段で取得した納品指示情報に基づいて、前記複数の移動体の移動計画および工程実施計画を行う管理手段とを備えることを特徴とする移動印刷サービス提供システム。
【請求項２】
印刷または印刷後処理に関する第１工程を実施する第１工程実施装置を備える第１移動体と、前記第１工程の後工程であって印刷または印刷後処理に関する第２工程を実施する第２工程実施装置を備える第２移動体とを通信可能に接続し、前記第１移動体において前記第１工程を実施し、前記第１移動体の実施結果を前記第２移動体に引き渡し、前記第２移動体において前記第２工程を実施し、前記第２移動体の実施結果を所定の納品先に納品する移動印刷サービスを提供する移動印刷サービス提供システムであって、
印刷および印刷後処理の仕様、前記納品先の位置並びに納品期限を含む納品指示情報を取得する納品指示情報取得手段と、前記納品指示情報取得手段で取得した納品指示情報に基づいて、前記第１移動体および前記第２移動体の移動計画および工程実施計画を行う管理手段とを備えることを特徴とする移動印刷サービス提供システム。
【請求項３】
請求項２において、
さらに、前記第１移動体および前記第２移動体の位置を示す位置情報を取得する位置情報取得手段と、前記第１工程実施装置および前記第２工程実施装置の処理能力を示す処理能力情報を取得する処理能力情報取得手段とを備え、
前記管理手段は、前記納品指示情報、前記位置情報取得手段で取得した位置情報および前記処理能力情報取得手段で取得した処理能力情報に基づいて、前記移動計画および前記工程実施計画を行うことを特徴とする移動印刷サービス提供システム。
【請求項４】
請求項２および３のいずれか１項において、
さらに、前記第１移動体および前記第２移動体の位置から前記納品先までの経路を含む地図情報を取得する地図情報取得手段を備え、
前記管理手段は、前記納品指示情報、および前記地図情報取得手段で取得した地図情報に基づいて、前記移動計画および前記工程実施計画を行うことを特徴とする移動印刷サービス提供システム。
【請求項５】
請求項３において、
複数の前記第１移動体を通信可能に接続し、
前記管理手段は、前記位置情報に基づいて、前記第１移動体が前記第２移動体との合流地点まで移動するのに要する移動時間を算出する第１移動時間算出手段と、前記処理能力情報に基づいて、前記第１移動体の実施結果を得るための第１工程実施処理を前記第１移動体が完了するまでに要する第１工程実施処理時間を算出する第１工程実施処理時間算出手段と、前記第２移動体が前記合流地点から前記納品先まで移動するのに要する移動時間を算出する第２移動時間算出手段と、前記処理能力情報に基づいて、前記第２移動体の実施結果を得るための第２工程実施処理を前記第２移動体が完了するまでに要する第２工程実施処理時間を算出する第２工程実施処理時間算出手段と、前記第１工程実施処理および前記第２工程実施処理を割り当てる前記第１移動体および前記第２移動体のすべての組み合わせについて、前記第１移動時間算出手段、前記第１工程実施処理時間算出手段、前記第２移動時間算出手段および前記第２工程実施処理時間算出手段の算出結果を取得する算出結果取得手段と、前記算出結果取得手段で取得した算出結果および前記納品指示情報に基づいて、前記納品期限までに前記第１工程実施処理および前記第２工程実施処理が完了する前記第１移動体および前記第２移動体の組み合わせを決定し、当該組み合わせについて前記移動計画および前記工程実施計画を決定する計画決定手段とを備えることを特徴とする移動印刷サービス提供システム。
【請求項６】
請求項３において、
複数の前記第１移動体を通信可能に接続し、
前記管理手段は、前記位置情報に基づいて、前記第１移動体が前記第２移動体との合流地点まで移動するのに要する移動時間を算出する第１移動時間算出手段と、前記処理能力情報に基づいて、前記第１移動体の実施結果を得るための第１工程実施処理を前記第１移動体が完了するまでに要する第１工程実施処理時間を算出する第１工程実施処理時間算出手段と、前記位置情報に基づいて、前記第２移動体が前記合流地点まで移動するのに要する移動時間を算出する第２移動時間算出手段と、前記第２移動体が前記合流地点から前記納品先まで移動するのに要する移動時間を算出する第３移動時間算出手段と、前記処理能力情報に基づいて、前記第２移動体の実施結果を得るための第２工程実施処理を前記第２移動体が完了するまでに要する第２工程実施処理時間を算出する第２工程実施処理時間算出手段と、前記第１工程実施処理および前記第２工程実施処理を割り当てる前記第１移動体および前記第２移動体、並びに複数の前記合流地点のすべての組み合わせについて、前記第１移動時間算出手段、前記第１工程実施処理時間算出手段、前記第２移動時間算出手段、前記第３移動時間算出手段および前記第２工程実施処理時間算出手段の算出結果を取得する算出結果取得手段と、前記算出結果取得手段で取得した算出結果および前記納品指示情報に基づいて、前記納品期限までに前記第１工程実施処理および前記第２工程実施処理が完了する前記第１移動体、前記第２移動体および前記合流地点の組み合わせを決定し、当該組み合わせについて前記移動計画および前記工程実施計画を決定する計画決定手段とを備えることを特徴とする移動印刷サービス提供システム。
【請求項７】
印刷または印刷後処理に関する工程を実施する工程実施装置を備える移動体を通信可能に複数接続し、前記移動体において前記工程を実施する移動印刷サービスを提供する移動印刷サービス提供プログラムであって、
印刷または印刷後処理の仕様を含む納品指示情報を取得する納品指示情報取得ステップと、前記納品指示情報取得ステップで取得した納品指示情報に基づいて、前記複数の移動体の移動計画および工程実施計画を行う管理ステップとからなる処理をコンピュータに実行させるためのプログラムを含むことを特徴とする移動印刷サービス提供プログラム。
【請求項８】
印刷または印刷後処理に関する第１工程を実施する第１工程実施装置を備える第１移動体と、前記第１工程の後工程であって印刷または印刷後処理に関する第２工程を実施する第２工程実施装置を備える第２移動体とを通信可能に接続し、前記第１移動体において前記第１工程を実施し、前記第１移動体の実施結果を前記第２移動体に引き渡し、前記第２移動体において前記第２工程を実施し、前記第２移動体の実施結果を所定の納品先に納品する移動印刷サービスを提供する移動印刷サービス提供プログラムであって、
印刷および印刷後処理の仕様、前記納品先の位置並びに納品期限を含む納品指示情報を取得する納品指示情報取得ステップと、前記納品指示情報取得ステップで取得した納品指示情報に基づいて、前記第１移動体および前記第２移動体の移動計画および工程実施計画を行う管理ステップとからなる処理をコンピュータに実行させるためのプログラムを含むことを特徴とする移動印刷サービス提供プログラム。
【請求項９】
印刷または印刷後処理に関する工程を実施する工程実施装置を備える移動体を通信可能に複数接続し、前記移動体において前記工程を実施する移動印刷サービスを提供する移動印刷サービス提供方法であって、
印刷または印刷後処理の仕様を含む納品指示情報を取得する納品指示情報取得ステップと、前記納品指示情報取得ステップで取得した納品指示情報に基づいて、前記複数の移動体の移動計画および工程実施計画を行う管理ステップとを含むことを特徴とする移動印刷サービス提供方法。
【請求項１０】
印刷または印刷後処理に関する第１工程を実施する第１工程実施装置を備える第１移動体と、前記第１工程の後工程であって印刷または印刷後処理に関する第２工程を実施する第２工程実施装置を備える第２移動体とを通信可能に接続し、前記第１移動体において前記第１工程を実施し、前記第１移動体の実施結果を前記第２移動体に引き渡し、前記第２移動体において前記第２工程を実施し、前記第２移動体の実施結果を所定の納品先に納品する移動印刷サービスを提供する移動印刷サービス提供方法であって、
印刷および印刷後処理の仕様、前記納品先の位置並びに納品期限を含む納品指示情報を取得する納品指示情報取得ステップと、前記納品指示情報取得ステップで取得した納品指示情報に基づいて、前記第１移動体および前記第２移動体の移動計画および工程実施計画を行う管理ステップとを含むことを特徴とする移動印刷サービス提供方法。
【発明の詳細な説明】
【技術分野】
【０００１】
本発明は、移動体が移動しながら印刷または製本を行う移動印刷サービスを提供するシステムおよびプログラム、並びに方法に係り、特に、コストを低減し、印刷処理または製本処理を効率的に行うのに好適な移動印刷サービス提供システムおよび移動印刷サービス提供プログラム、並びに移動印刷サービス提供方法に関する。
【背景技術】
【０００２】
従来、印刷装置を搭載した車両を目的地に移動させて印刷を行う技術としては、例えば、特許文献１記載の技術が知られている。
特許文献１記載の技術は、画像データを処理する画像データ処理装置と、画像データ処理装置で生成した印刷データに基づいて印刷を行う印刷装置とを搭載した移動印刷車両を備える。移動印刷車両を用いてイベント会場などに移動し、会場において撮影した画像データそのものを画像データ処理装置で編集して印刷を行うことができる。
【特許文献１】特開２００３−８１００１号公報
【発明の開示】
【発明が解決しようとする課題】
【０００３】
ところで、顧客の要望により印刷および製本を行うサービスを考えた場合、印刷部数や納品期限等の納品指示を顧客から受け、その納品指示に従って印刷および製本を行い、製本結果を車両にて指定の納品先に配送する。このとき、印刷部数が多い場合等は、指定された納品期限に間に合わないことがあり、印刷処理および製本処理を高速かつ効率的に行うことが望まれる。そこで、特許文献１記載の移動印刷車両を利用し、移動中に印刷処理を行うことにより効率化を図ることが考えられる。
【０００４】
しかしながら、特許文献１記載の技術にあっては、移動中の時間を印刷処理時間に割り当てることはできても、１台の印刷装置ではやはり一定の限界がある。複数台の印刷装置を搭載することも考えられるが、多数の配送を並行して行う場合もあり、これに対応するため、複数台の印刷装置を搭載した移動印刷車両を複数台用意するにはコスト高である。
このような問題は、顧客の要望により印刷および製本を行うサービスを提供する場合に限らず、印刷だけを行うサービス、製本だけを行うサービスを提供する場合についても同様に想定される。
【０００５】
そこで、本発明は、このような従来の技術の有する未解決の課題に着目してなされたものであって、コストを低減し、印刷処理または製本処理を効率的に行うのに好適な移動印刷サービス提供システムおよび移動印刷サービス提供プログラム、並びに移動印刷サービス提供方法を提供することを目的としている。
【課題を解決するための手段】
【０００６】
〔形態１〕  上記目的を達成するために、形態１の移動印刷サービス提供システムは、
印刷または印刷後処理に関する工程を実施する工程実施装置を備える移動体を通信可能に複数接続し、前記移動体において前記工程を実施する移動印刷サービスを提供する移動印刷サービス提供システムであって、
印刷または印刷後処理の仕様を含む納品指示情報を取得する納品指示情報取得手段と、前記納品指示情報取得手段で取得した納品指示情報に基づいて、前記複数の移動体の移動計画および工程実施計画を行う管理手段とを備えることを特徴とする。
【０００７】
このような構成であれば、納品指示情報取得手段により、印刷または印刷後処理の仕様を含む納品指示情報が取得され、管理手段により、取得された納品指示情報に基づいて、複数の移動体の移動計画および工程実施計画が行われる。
これにより、移動計画および工程実施計画に基づいて、複数の移動体が連携して移動および印刷または印刷後処理を行うので、従来に比して、印刷処理または印刷後処理を効率的に行うことができるという効果が得られる。また、複数の工程実施装置を備える移動体を利用するのではなく、工程実施装置を備える移動体を複数利用するので、納品指示の内容に応じて移動体を必要な数だけ手配すればよく、多数の配送を並行して行うような場合に、コストを低減するとともに移動体を効率的に運用することができるという効果が得られる。
【０００８】
ここで、移動体は、実空間を移動可能な物体をいい、これには、例えば、車両、船舶、航空機、特殊機械が含まれる。また、車両には、例えば、自動車、二輪車、特殊自動車、鉄道車両が含まれる。また、特殊機械には、ベルトコンベアと、ベルトコンベア上に設置された架台からなる搬送装置、外部の動力によって移動可能な台車、他の車両等に搭載して移動可能な架台が含まれる。以下、形態２の移動印刷サービス提供システム、形態７および８の移動印刷サービス提供プログラム、並びに形態１３および１４の移動印刷サービス提供方法において同じである。
【０００９】
また、印刷または印刷後処理に関する工程としては、例えば、印刷、追い刷り、箔押し、ニスコート、ラミネート、折り、帳合、製本、裁断および封緘が含まれる。以下、形態２の移動印刷サービス提供システム、形態７および８の移動印刷サービス提供プログラム、並びに形態１３および１４の移動印刷サービス提供方法において同じである。
また、納品指示情報取得手段は、納品指示情報を取得するようになっていればどのような構成であってもよく、例えば、入力装置等から納品指示情報を入力してもよいし、外部の装置等から納品指示情報を獲得または受信してもよいし、記憶装置や記憶媒体等から納品指示情報を読み出してもよい。したがって、取得には、少なくとも入力、獲得、受信および読出が含まれる。以下、取得の概念については同じである。
【００１０】
また、本システムは、単一の装置、端末その他の機器として実現するようにしてもよいし、複数の装置、端末その他の機器を通信可能に接続したネットワークシステムとして実現するようにしてもよい。後者の場合、各構成要素は、それぞれ通信可能に接続されていれば、複数の機器等のうちいずれに属していてもよい。以下、形態２の移動印刷サービス提供システムにおいて同じである。
【００１１】
〔形態２〕  さらに、形態２の移動印刷サービス提供システムは、
印刷または印刷後処理に関する第１工程を実施する第１工程実施装置を備える第１移動体と、前記第１工程の後工程であって印刷または印刷後処理に関する第２工程を実施する第２工程実施装置を備える第２移動体とを通信可能に接続し、前記第１移動体において前記第１工程を実施し、前記第１移動体の実施結果を前記第２移動体に引き渡し、前記第２移動体において前記第２工程を実施し、前記第２移動体の実施結果を所定の納品先に納品する移動印刷サービスを提供する移動印刷サービス提供システムであって、
印刷および印刷後処理の仕様、前記納品先の位置並びに納品期限を含む納品指示情報を取得する納品指示情報取得手段と、前記納品指示情報取得手段で取得した納品指示情報に基づいて、前記第１移動体および前記第２移動体の移動計画および工程実施計画を行う管理手段とを備えることを特徴とする。
【００１２】
このような構成であれば、納品指示情報取得手段により、印刷および印刷後処理の仕様、納品先の位置並びに納品期限を含む納品指示情報が取得され、管理手段により、取得された納品指示情報に基づいて、第１移動体および第２移動体の移動計画および工程実施計画が行われる。
これにより、移動計画および工程実施計画に基づいて、第１移動体および第２移動体が連携して移動、印刷および印刷後処理を行うので、従来に比して、印刷処理および印刷後処理を効率的に行うことができるという効果が得られる。また、複数の第１工程実施装置または第２工程実施装置を備える移動体を利用するのではなく、第１工程実施装置または第２工程実施装置を備える移動体を複数利用するので、納品指示の内容に応じて移動体を必要な数だけ手配すればよく、多数の配送を並行して行うような場合に、コストを低減するとともに移動体を効率的に運用することができるという効果が得られる。
【００１３】
ここで、第１工程は、例えば、印刷工程の一部、印刷工程の全部、または印刷工程の全部および印刷後処理の工程の一部からなる。以下、形態８の移動印刷サービス提供プログラム、および形態１４の移動印刷サービス提供方法において同じである。
また、第２工程は、第１工程の後工程であればよく、第１工程に直後に行う工程であってもよいし、第１工程と第２工程の間に中間工程を行い、その中間工程の直後に行う工程であってもよい。前者の場合、例えば、第１工程が印刷工程の一部からなる場合、第２工程は、印刷工程の残部および印刷後処理の工程の全部からなり、第１工程が印刷工程の全部からなる場合、第２工程は、印刷後処理の工程の全部からなり、第１工程が印刷工程の全部および印刷後処理の工程の一部からなる場合、第２工程は、印刷後処理の工程の残部からなる。以下、形態８の移動印刷サービス提供プログラム、および形態１４の移動印刷サービス提供方法において同じである。
【００１４】
また、納品期限は、納品が完了する日時や時刻だけでなく、納品を開始してから納品が完了するまでの時間の概念も含む。以下、形態８の移動印刷サービス提供プログラム、および形態１４の移動印刷サービス提供方法において同じである。
【００１５】
〔形態３〕  さらに、形態３の移動印刷サービス提供システムは、形態２の移動印刷サービス提供システムにおいて、
さらに、前記第１移動体および前記第２移動体の位置を示す位置情報を取得する位置情報取得手段と、前記第１工程実施装置および前記第２工程実施装置の処理能力を示す処理能力情報を取得する処理能力情報取得手段とを備え、
前記管理手段は、前記納品指示情報、前記位置情報取得手段で取得した位置情報および前記処理能力情報取得手段で取得した処理能力情報に基づいて、前記移動計画および前記工程実施計画を行うことを特徴とする。
【００１６】
このような構成であれば、位置情報取得手段により、第１移動体および第２移動体の位置を示す位置情報が取得され、処理能力情報取得手段により、第１工程実施装置および第２工程実施装置の処理能力を示す処理能力情報が取得される。そして、管理手段により、取得された納品指示情報、位置情報および処理能力情報に基づいて、移動計画および工程実施計画が行われる。
これにより、移動計画および工程実施計画をより詳細に行うことができるので、印刷処理および印刷後処理をさらに効率的に行うことができるという効果が得られる。
【００１７】
〔形態４〕  さらに、形態４の移動印刷サービス提供システムは、形態２および３のいずれか１の移動印刷サービス提供システムにおいて、
さらに、前記第１移動体および前記第２移動体の位置から前記納品先までの経路を含む地図情報を取得する地図情報取得手段を備え、
前記管理手段は、前記納品指示情報、および前記地図情報取得手段で取得した地図情報に基づいて、前記移動計画および前記工程実施計画を行うことを特徴とする。
【００１８】
このような構成であれば、地図情報取得手段により、第１移動体および第２移動体の位置から納品先までの経路を含む地図情報が取得される。そして、管理手段により、取得された納品指示情報および地図情報に基づいて、移動計画および工程実施計画が行われる。
これにより、移動計画および工程実施計画をより詳細に行うことができるので、印刷処理および印刷後処理をさらに効率的に行うことができるという効果が得られる。
【００１９】
〔形態５〕  さらに、形態５の移動印刷サービス提供システムは、形態３の移動印刷サービス提供システムにおいて、
複数の前記第１移動体を通信可能に接続し、
前記管理手段は、前記位置情報に基づいて、前記第１移動体が前記第２移動体との合流地点まで移動するのに要する移動時間を算出する第１移動時間算出手段と、前記処理能力情報に基づいて、前記第１移動体の実施結果を得るための第１工程実施処理を前記第１移動体が完了するまでに要する第１工程実施処理時間を算出する第１工程実施処理時間算出手段と、前記第２移動体が前記合流地点から前記納品先まで移動するのに要する移動時間を算出する第２移動時間算出手段と、前記処理能力情報に基づいて、前記第２移動体の実施結果を得るための第２工程実施処理を前記第２移動体が完了するまでに要する第２工程実施処理時間を算出する第２工程実施処理時間算出手段と、前記第１工程実施処理および前記第２工程実施処理を割り当てる前記第１移動体および前記第２移動体のすべての組み合わせについて、前記第１移動時間算出手段、前記第１工程実施処理時間算出手段、前記第２移動時間算出手段および前記第２工程実施処理時間算出手段の算出結果を取得する算出結果取得手段と、前記算出結果取得手段で取得した算出結果および前記納品指示情報に基づいて、前記納品期限までに前記第１工程実施処理および前記第２工程実施処理が完了する前記第１移動体および前記第２移動体の組み合わせを決定し、当該組み合わせについて前記移動計画および前記工程実施計画を決定する計画決定手段とを備えることを特徴とする。
【００２０】
このような構成であれば、第１移動時間算出手段により、位置情報に基づいて、第１移動体が合流地点まで移動するのに要する移動時間が算出され、第１工程実施処理時間算出手段により、処理能力情報に基づいて、第１工程実施処理を第１移動体が完了するまでに要する第１工程実施処理時間が算出される。また、第２移動時間算出手段により、第２移動体が合流地点から納品先まで移動するのに要する移動時間が算出され、第２工程実施処理時間算出手段により、処理能力情報に基づいて、第２工程実施処理を第２移動体が完了するまでに要する第２工程実施処理時間が算出される。そして、算出結果取得手段により、第１工程実施処理および第２工程実施処理を割り当てる第１移動体および第２移動体のすべての組み合わせについて、第１移動時間算出手段、第１工程実施処理時間算出手段、第２移動時間算出手段および第２工程実施処理時間算出手段の算出結果が取得される。
【００２１】
算出結果が取得されると、計画決定手段により、取得された算出結果および納品指示情報に基づいて、納品期限までに第１工程実施処理および第２工程実施処理が完了する第１移動体および第２移動体の組み合わせが決定され、その組み合わせについて移動計画および工程実施計画が決定される。
これにより、移動計画および工程実施計画をより詳細に行うことができるので、印刷処理および印刷後処理をさらに効率的に行うことができるという効果が得られる。
【００２２】
ここで、第１移動時間算出手段、第１工程実施処理時間算出手段、第２移動時間算出手段および第２工程実施処理時間算出手段の算出結果は、第１工程実施処理および第２工程実施処理を割り当てる第１移動体および第２移動体のすべての組み合わせについて取得するが、第１移動時間算出手段、第１工程実施処理時間算出手段、第２移動時間算出手段および第２工程実施処理時間算出手段による算出は、第１移動体および第２移動体のすべての組み合わせについて必ずしも行う必要はない。例えば、複数の第１移動体が同一の位置に存在する場合、または複数の第２移動体が同一の位置に存在する場合は、第１移動時間算出手段による算出または第２移動時間算出手段による算出は１回でよい。また、例えば、第１工程実施処理が１つしかなくかつ複数の第１移動体の処理能力が同一である場合、または第２工程実施処理が１つしかなくかつ複数の第２移動体の処理能力が同一である場合は、第１工程実施処理時間算出手段による算出または第２工程実施処理時間算出手段による算出は１回でよい。
【００２３】
また、第１工程実施処理時間は、第１工程実施処理を開始してから第１工程実施処理が完了するまでの時間だけでなく、第１工程実施処理が完了する日時や時刻の概念も含む。このことは、第２工程実施処理時間についても同様である。以下、形態６の移動印刷サービス提供システム、形態１１および１２の移動印刷サービス提供プログラム、並びに形態１７および１８の移動印刷サービス提供方法において同じである。
【００２４】
〔形態６〕  さらに、形態６の移動印刷サービス提供システムは、形態３の移動印刷サービス提供システムにおいて、
複数の前記第１移動体を通信可能に接続し、
前記管理手段は、前記位置情報に基づいて、前記第１移動体が前記第２移動体との合流地点まで移動するのに要する移動時間を算出する第１移動時間算出手段と、前記処理能力情報に基づいて、前記第１移動体の実施結果を得るための第１工程実施処理を前記第１移動体が完了するまでに要する第１工程実施処理時間を算出する第１工程実施処理時間算出手段と、前記位置情報に基づいて、前記第２移動体が前記合流地点まで移動するのに要する移動時間を算出する第２移動時間算出手段と、前記第２移動体が前記合流地点から前記納品先まで移動するのに要する移動時間を算出する第３移動時間算出手段と、前記処理能力情報に基づいて、前記第２移動体の実施結果を得るための第２工程実施処理を前記第２移動体が完了するまでに要する第２工程実施処理時間を算出する第２工程実施処理時間算出手段と、前記第１工程実施処理および前記第２工程実施処理を割り当てる前記第１移動体および前記第２移動体、並びに複数の前記合流地点のすべての組み合わせについて、前記第１移動時間算出手段、前記第１工程実施処理時間算出手段、前記第２移動時間算出手段、前記第３移動時間算出手段および前記第２工程実施処理時間算出手段の算出結果を取得する算出結果取得手段と、前記算出結果取得手段で取得した算出結果および前記納品指示情報に基づいて、前記納品期限までに前記第１工程実施処理および前記第２工程実施処理が完了する前記第１移動体、前記第２移動体および前記合流地点の組み合わせを決定し、当該組み合わせについて前記移動計画および前記工程実施計画を決定する計画決定手段とを備えることを特徴とする。
【００２５】
このような構成であれば、第１移動時間算出手段により、位置情報に基づいて、第１移動体が合流地点まで移動するのに要する移動時間が算出され、第１工程実施処理時間算出手段により、処理能力情報に基づいて、第１工程実施処理を第１移動体が完了するまでに要する第１工程実施処理時間が算出される。また、第２移動時間算出手段により、位置情報に基づいて、第２移動体が合流地点まで移動するのに要する移動時間が算出され、第３移動時間算出手段により、第２移動体が合流地点から納品先まで移動するのに要する移動時間が算出され、第２工程実施処理時間算出手段により、処理能力情報に基づいて、第２工程実施処理を第２移動体が完了するまでに要する第２工程実施処理時間が算出される。そして、算出結果取得手段により、第１工程実施処理および第２工程実施処理を割り当てる第１移動体および第２移動体、並びに複数の合流地点のすべての組み合わせについて、第１移動時間算出手段、第１工程実施処理時間算出手段、第２移動時間算出手段、第３移動時間算出手段および第２工程実施処理時間算出手段の算出結果が取得される。
【００２６】
算出結果が取得されると、計画決定手段により、取得された算出結果および納品指示情報に基づいて、納品期限までに第１工程実施処理および第２工程実施処理が完了する第１移動体、第２移動体および合流地点の組み合わせが決定され、その組み合わせについて移動計画および工程実施計画が決定される。
これにより、移動計画および工程実施計画をより詳細に行うことができるので、印刷処理および印刷後処理をさらに効率的に行うことができるという効果が得られる。
【００２７】
ここで、第１移動時間算出手段、第１工程実施処理時間算出手段、第２移動時間算出手段、第３移動時間算出手段および第２工程実施処理時間算出手段の算出結果は、第１工程実施処理および第２工程実施処理を割り当てる第１移動体および第２移動体、並びに複数の合流地点のすべての組み合わせについて取得するが、第１移動時間算出手段、第１工程実施処理時間算出手段、第２移動時間算出手段、第３移動時間算出手段および第２工程実施処理時間算出手段による算出は、第１移動体、第２移動体および合流地点のすべての組み合わせについて必ずしも行う必要はない。例えば、複数の第１移動体が同一の位置に存在する場合、または複数の第２移動体が同一の位置に存在する場合は、第１移動時間算出手段による算出、または第２移動時間算出手段および第３移動時間算出手段による算出は各合流地点ごとに１回でよい。また、例えば、第１工程実施処理が１つしかなくかつ複数の第１移動体の処理能力が同一である場合、または第２工程実施処理が１つしかなくかつ複数の第２移動体の処理能力が同一である場合は、第１工程実施処理時間算出手段による算出または第２工程実施処理時間算出手段による算出は１回でよい。
【００２８】
〔形態７〕  一方、上記目的を達成するために、形態７の移動印刷サービス提供プログラムは、
印刷または印刷後処理に関する工程を実施する工程実施装置を備える移動体を通信可能に複数接続し、前記移動体において前記工程を実施する移動印刷サービスを提供する移動印刷サービス提供プログラムであって、
印刷または印刷後処理の仕様を含む納品指示情報を取得する納品指示情報取得ステップと、前記納品指示情報取得ステップで取得した納品指示情報に基づいて、前記複数の移動体の移動計画および工程実施計画を行う管理ステップとからなる処理をコンピュータに実行させるためのプログラムを含むことを特徴とする。
このような構成であれば、コンピュータによってプログラムが読み取られ、読み取られたプログラムに従ってコンピュータが処理を実行すると、形態１の移動印刷サービス提供システムと同等の作用および効果が得られる。
【００２９】
〔形態８〕  さらに、形態８の移動印刷サービス提供プログラムは、
印刷または印刷後処理に関する第１工程を実施する第１工程実施装置を備える第１移動体と、前記第１工程の後工程であって印刷または印刷後処理に関する第２工程を実施する第２工程実施装置を備える第２移動体とを通信可能に接続し、前記第１移動体において前記第１工程を実施し、前記第１移動体の実施結果を前記第２移動体に引き渡し、前記第２移動体において前記第２工程を実施し、前記第２移動体の実施結果を所定の納品先に納品する移動印刷サービスを提供する移動印刷サービス提供プログラムであって、
印刷および印刷後処理の仕様、前記納品先の位置並びに納品期限を含む納品指示情報を取得する納品指示情報取得ステップと、前記納品指示情報取得ステップで取得した納品指示情報に基づいて、前記第１移動体および前記第２移動体の移動計画および工程実施計画を行う管理ステップとからなる処理をコンピュータに実行させるためのプログラムを含むことを特徴とする。
このような構成であれば、コンピュータによってプログラムが読み取られ、読み取られたプログラムに従ってコンピュータが処理を実行すると、形態２の移動印刷サービス提供システムと同等の作用および効果が得られる。
【００３０】
〔形態９〕  さらに、形態９の移動印刷サービス提供プログラムは、形態８の移動印刷サービス提供プログラムにおいて、
さらに、前記第１移動体および前記第２移動体の位置を示す位置情報を取得する位置情報取得ステップと、前記第１工程実施装置および前記第２工程実施装置の処理能力を示す処理能力情報を取得する処理能力情報取得ステップとからなる処理をコンピュータに実行させるためのプログラムを含み、
前記管理ステップは、前記納品指示情報、前記位置情報取得ステップで取得した位置情報および前記処理能力情報取得ステップで取得した処理能力情報に基づいて、前記移動計画および前記工程実施計画を行うことを特徴とする。
このような構成であれば、コンピュータによってプログラムが読み取られ、読み取られたプログラムに従ってコンピュータが処理を実行すると、形態３の移動印刷サービス提供システムと同等の作用および効果が得られる。
【００３１】
〔形態１０〕  さらに、形態１０の移動印刷サービス提供プログラムは、形態８および９のいずれか１の移動印刷サービス提供プログラムにおいて、
さらに、前記第１移動体および前記第２移動体の位置から前記納品先までの経路を含む地図情報を取得する地図情報取得ステップからなる処理をコンピュータに実行させるためのプログラムを含み、
前記管理ステップは、前記納品指示情報、および前記地図情報取得ステップで取得した地図情報に基づいて、前記移動計画および前記工程実施計画を行うことを特徴とする。
このような構成であれば、コンピュータによってプログラムが読み取られ、読み取られたプログラムに従ってコンピュータが処理を実行すると、形態４の移動印刷サービス提供システムと同等の作用および効果が得られる。
【００３２】
〔形態１１〕  さらに、形態１１の移動印刷サービス提供プログラムは、形態９の移動印刷サービス提供プログラムにおいて、
複数の前記第１移動体を通信可能に接続し、
前記管理ステップは、前記位置情報に基づいて、前記第１移動体が前記第２移動体との合流地点まで移動するのに要する移動時間を算出する第１移動時間算出ステップと、前記処理能力情報に基づいて、前記第１移動体の実施結果を得るための第１工程実施処理を前記第１移動体が完了するまでに要する第１工程実施処理時間を算出する第１工程実施処理時間算出ステップと、前記第２移動体が前記合流地点から前記納品先まで移動するのに要する移動時間を算出する第２移動時間算出ステップと、前記処理能力情報に基づいて、前記第２移動体の実施結果を得るための第２工程実施処理を前記第２移動体が完了するまでに要する第２工程実施処理時間を算出する第２工程実施処理時間算出ステップと、前記第１工程実施処理および前記第２工程実施処理を割り当てる前記第１移動体および前記第２移動体のすべての組み合わせについて、前記第１移動時間算出ステップ、前記第１工程実施処理時間算出ステップ、前記第２移動時間算出ステップおよび前記第２工程実施処理時間算出ステップの算出結果を取得する算出結果取得ステップと、前記算出結果取得ステップで取得した算出結果および前記納品指示情報に基づいて、前記納品期限までに前記第１工程実施処理および前記第２工程実施処理が完了する前記第１移動体および前記第２移動体の組み合わせを決定し、当該組み合わせについて前記移動計画および前記工程実施計画を決定する計画決定ステップとを含むことを特徴とする。
【００３３】
このような構成であれば、コンピュータによってプログラムが読み取られ、読み取られたプログラムに従ってコンピュータが処理を実行すると、形態５の移動印刷サービス提供システムと同等の作用および効果が得られる。
ここで、第１移動時間算出ステップ、第１工程実施処理時間算出ステップ、第２移動時間算出ステップおよび第２工程実施処理時間算出ステップの算出結果は、第１工程実施処理および第２工程実施処理を割り当てる第１移動体および第２移動体のすべての組み合わせについて取得するが、第１移動時間算出ステップ、第１工程実施処理時間算出ステップ、第２移動時間算出ステップおよび第２工程実施処理時間算出ステップでの算出は、第１移動体および第２移動体のすべての組み合わせについて必ずしも行う必要はない。例えば、複数の第１移動体が同一の位置に存在する場合、または複数の第２移動体が同一の位置に存在する場合は、第１移動時間算出ステップでの算出または第２移動時間算出ステップでの算出は１回でよい。また、例えば、第１工程実施処理が１つしかなくかつ複数の第１移動体の処理能力が同一である場合、または第２工程実施処理が１つしかなくかつ複数の第２移動体の処理能力が同一である場合は、第１工程実施処理時間算出ステップでの算出または第２工程実施処理時間算出ステップでの算出は１回でよい。以下、形態１７の移動印刷サービス提供方法において同じである。
【００３４】
〔形態１２〕  さらに、形態１２の移動印刷サービス提供プログラムは、形態９の移動印刷サービス提供プログラムにおいて、
複数の前記第１移動体を通信可能に接続し、
前記管理ステップは、前記位置情報に基づいて、前記第１移動体が前記第２移動体との合流地点まで移動するのに要する移動時間を算出する第１移動時間算出ステップと、前記処理能力情報に基づいて、前記第１移動体の実施結果を得るための第１工程実施処理を前記第１移動体が完了するまでに要する第１工程実施処理時間を算出する第１工程実施処理時間算出ステップと、前記位置情報に基づいて、前記第２移動体が前記合流地点まで移動するのに要する移動時間を算出する第２移動時間算出ステップと、前記第２移動体が前記合流地点から前記納品先まで移動するのに要する移動時間を算出する第３移動時間算出ステップと、前記処理能力情報に基づいて、前記第２移動体の実施結果を得るための第２工程実施処理を前記第２移動体が完了するまでに要する第２工程実施処理時間を算出する第２工程実施処理時間算出ステップと、前記第１工程実施処理および前記第２工程実施処理を割り当てる前記第１移動体および前記第２移動体、並びに複数の前記合流地点のすべての組み合わせについて、前記第１移動時間算出ステップ、前記第１工程実施処理時間算出ステップ、前記第２移動時間算出ステップ、前記第３移動時間算出ステップおよび前記第２工程実施処理時間算出ステップの算出結果を取得する算出結果取得ステップと、前記算出結果取得ステップで取得した算出結果および前記納品指示情報に基づいて、前記納品期限までに前記第１工程実施処理および前記第２工程実施処理が完了する前記第１移動体、前記第２移動体および前記合流地点の組み合わせを決定し、当該組み合わせについて前記移動計画および前記工程実施計画を決定する計画決定ステップとを含むことを特徴とする。
【００３５】
このような構成であれば、コンピュータによってプログラムが読み取られ、読み取られたプログラムに従ってコンピュータが処理を実行すると、形態６の移動印刷サービス提供システムと同等の作用および効果が得られる。
ここで、第１移動時間算出ステップ、第１工程実施処理時間算出ステップ、第２移動時間算出ステップ、第３移動時間算出ステップおよび第２工程実施処理時間算出ステップの算出結果は、第１工程実施処理および第２工程実施処理を割り当てる第１移動体および第２移動体、並びに複数の合流地点のすべての組み合わせについて取得するが、第１移動時間算出ステップ、第１工程実施処理時間算出ステップ、第２移動時間算出ステップ、第３移動時間算出ステップおよび第２工程実施処理時間算出ステップでの算出は、第１移動体、第２移動体および合流地点のすべての組み合わせについて必ずしも行う必要はない。例えば、複数の第１移動体が同一の位置に存在する場合、または複数の第２移動体が同一の位置に存在する場合は、第１移動時間算出ステップでの算出、または第２移動時間算出ステップおよび第３移動時間算出ステップでの算出は各合流地点ごとに１回でよい。また、例えば、第１工程実施処理が１つしかなくかつ複数の第１移動体の処理能力が同一である場合、または第２工程実施処理が１つしかなくかつ複数の第２移動体の処理能力が同一である場合は、第１工程実施処理時間算出ステップでの算出または第２工程実施処理時間算出ステップでの算出は１回でよい。以下、形態１８の移動印刷サービス提供方法において同じである。
【００３６】
〔形態１３〕  一方、上記目的を達成するために、形態１３の移動印刷サービス提供方法は、
印刷または印刷後処理に関する工程を実施する工程実施装置を備える移動体を通信可能に複数接続し、前記移動体において前記工程を実施する移動印刷サービスを提供する移動印刷サービス提供方法であって、
印刷または印刷後処理の仕様を含む納品指示情報を取得する納品指示情報取得ステップと、前記納品指示情報取得ステップで取得した納品指示情報に基づいて、前記複数の移動体の移動計画および工程実施計画を行う管理ステップとを含むことを特徴とする。
これにより、形態１の移動印刷サービス提供システムと同等の効果が得られる。
【００３７】
〔形態１４〕  さらに、形態１４の移動印刷サービス提供方法は、
印刷または印刷後処理に関する第１工程を実施する第１工程実施装置を備える第１移動体と、前記第１工程の後工程であって印刷または印刷後処理に関する第２工程を実施する第２工程実施装置を備える第２移動体とを通信可能に接続し、前記第１移動体において前記第１工程を実施し、前記第１移動体の実施結果を前記第２移動体に引き渡し、前記第２移動体において前記第２工程を実施し、前記第２移動体の実施結果を所定の納品先に納品する移動印刷サービスを提供する移動印刷サービス提供方法であって、
印刷および印刷後処理の仕様、前記納品先の位置並びに納品期限を含む納品指示情報を取得する納品指示情報取得ステップと、前記納品指示情報取得ステップで取得した納品指示情報に基づいて、前記第１移動体および前記第２移動体の移動計画および工程実施計画を行う管理ステップとを含むことを特徴とする。
これにより、形態２の移動印刷サービス提供システムと同等の効果が得られる。
【００３８】
〔形態１５〕  さらに、形態１５の移動印刷サービス提供方法は、形態１４の移動印刷サービス提供方法において、
さらに、前記第１移動体および前記第２移動体の位置を示す位置情報を取得する位置情報取得ステップと、前記第１工程実施装置および前記第２工程実施装置の処理能力を示す処理能力情報を取得する処理能力情報取得ステップとを含み、
前記管理ステップは、前記納品指示情報、前記位置情報取得ステップで取得した位置情報および前記処理能力情報取得ステップで取得した処理能力情報に基づいて、前記移動計画および前記工程実施計画を行うことを特徴とする。
これにより、形態３の移動印刷サービス提供システムと同等の効果が得られる。
【００３９】
〔形態１６〕  さらに、形態１６の移動印刷サービス提供方法は、形態１４および１５のいずれか１の移動印刷サービス提供方法において、
さらに、前記第１移動体および前記第２移動体の位置から前記納品先までの経路を含む地図情報を取得する地図情報取得ステップを含み、
前記管理ステップは、前記納品指示情報、および前記地図情報取得ステップで取得した地図情報に基づいて、前記移動計画および前記工程実施計画を行うことを特徴とする。
これにより、形態４の移動印刷サービス提供システムと同等の効果が得られる。
【００４０】
〔形態１７〕  さらに、形態１７の移動印刷サービス提供方法は、形態１５の移動印刷サービス提供方法において、
複数の前記第１移動体を通信可能に接続し、
前記管理ステップは、前記位置情報に基づいて、前記第１移動体が前記第２移動体との合流地点まで移動するのに要する移動時間を算出する第１移動時間算出ステップと、前記処理能力情報に基づいて、前記第１移動体の実施結果を得るための第１工程実施処理を前記第１移動体が完了するまでに要する第１工程実施処理時間を算出する第１工程実施処理時間算出ステップと、前記第２移動体が前記合流地点から前記納品先まで移動するのに要する移動時間を算出する第２移動時間算出ステップと、前記処理能力情報に基づいて、前記第２移動体の実施結果を得るための第２工程実施処理を前記第２移動体が完了するまでに要する第２工程実施処理時間を算出する第２工程実施処理時間算出ステップと、前記第１工程実施処理および前記第２工程実施処理を割り当てる前記第１移動体および前記第２移動体のすべての組み合わせについて、前記第１移動時間算出ステップ、前記第１工程実施処理時間算出ステップ、前記第２移動時間算出ステップおよび前記第２工程実施処理時間算出ステップの算出結果を取得する算出結果取得ステップと、前記算出結果取得ステップで取得した算出結果および前記納品指示情報に基づいて、前記納品期限までに前記第１工程実施処理および前記第２工程実施処理が完了する前記第１移動体および前記第２移動体の組み合わせを決定し、当該組み合わせについて前記移動計画および前記工程実施計画を決定する計画決定ステップとを含むことを特徴とする。
これにより、形態５の移動印刷サービス提供システムと同等の効果が得られる。
【００４１】
〔形態１８〕  さらに、形態１８の移動印刷サービス提供方法は、形態１５の移動印刷サービス提供方法において、
複数の前記第１移動体を通信可能に接続し、
前記管理ステップは、前記位置情報に基づいて、前記第１移動体が前記第２移動体との合流地点まで移動するのに要する移動時間を算出する第１移動時間算出ステップと、前記処理能力情報に基づいて、前記第１移動体の実施結果を得るための第１工程実施処理を前記第１移動体が完了するまでに要する第１工程実施処理時間を算出する第１工程実施処理時間算出ステップと、前記位置情報に基づいて、前記第２移動体が前記合流地点まで移動するのに要する移動時間を算出する第２移動時間算出ステップと、前記第２移動体が前記合流地点から前記納品先まで移動するのに要する移動時間を算出する第３移動時間算出ステップと、前記処理能力情報に基づいて、前記第２移動体の実施結果を得るための第２工程実施処理を前記第２移動体が完了するまでに要する第２工程実施処理時間を算出する第２工程実施処理時間算出ステップと、前記第１工程実施処理および前記第２工程実施処理を割り当てる前記第１移動体および前記第２移動体、並びに複数の前記合流地点のすべての組み合わせについて、前記第１移動時間算出ステップ、前記第１工程実施処理時間算出ステップ、前記第２移動時間算出ステップ、前記第３移動時間算出ステップおよび前記第２工程実施処理時間算出ステップの算出結果を取得する算出結果取得ステップと、前記算出結果取得ステップで取得した算出結果および前記納品指示情報に基づいて、前記納品期限までに前記第１工程実施処理および前記第２工程実施処理が完了する前記第１移動体、前記第２移動体および前記合流地点の組み合わせを決定し、当該組み合わせについて前記移動計画および前記工程実施計画を決定する計画決定ステップとを含むことを特徴とする。
これにより、形態６の移動印刷サービス提供システムと同等の効果が得られる。
【発明を実施するための最良の形態】
【００４２】
以下、本発明の第１の実施の形態を図面を参照しながら説明する。図１ないし図１０は、本発明に係る移動印刷サービス提供システムおよび移動印刷サービス提供プログラム、並びに移動印刷サービス提供方法の第１の実施の形態を示す図である。
まず、本実施の形態の概要を説明する。
図１は、本実施の形態の概要を説明するための図である。
【００４３】
本実施の形態は、図１に示すように、印刷装置を搭載した移動印刷車両２００と、製本装置を搭載した移動製本車両２１０とを利用し、移動印刷サービスを提供する。移動印刷サービスは、複数の移動印刷車両２００が移動しながら印刷を行い、移動印刷車両２００の印刷結果を移動製本車両２１０に引き渡し、移動製本車両２１０が移動しながら製本を行い、移動製本車両２１０の製本結果を所定の納品先に納品する。本実施の形態では、移動製本車両２１０の位置を合流地点とする。
【００４４】
まず、本発明を適用するネットワークシステムの機能概要を説明する。
図２は、ネットワークシステムの機能概要を示す機能ブロック図である。
ネットワーク１９９には、図２に示すように、複数の移動印刷車両２００と、複数の移動製本車両２１０と、移動印刷車両２００および移動製本車両２１０（以下、これらを区別しないときは実行リソースと総称する。）を管理する管理サーバ１００と、複数のコンテンツサーバ（不図示）とが接続されている。
【００４５】
管理サーバ１００は、実行リソースが印刷処理または製本処理を実行可能か否かを示す実行可能情報を記憶する実行可能情報記憶部１０と、実行リソースの印刷装置および製本装置の処理能力を示す処理能力情報を記憶する処理能力情報記憶部１２と、実行リソースの位置を示す位置情報を記憶する位置情報記憶部１４と、実行リソースの移動能力を示す移動能力情報を記憶する移動能力情報記憶部１６と、地図情報を記憶する地図情報記憶部１８と、渋滞、工事、交通規制その他の道路事情を示す道路情報を記憶する道路情報記憶部２０とを有して構成されている。
【００４６】
管理サーバ１００は、さらに、印刷および製本の仕様、納品先の位置、納品期限、並びにコンテンツの取得先アドレスを含む印刷ジョブを取得する印刷ジョブ取得部２２と、印刷処理および製本処理を実行可能な実行リソースを検索する実行リソース検索部２４とを有して構成されている。
実行リソース検索部２４は、印刷ジョブ取得部２２で取得した印刷ジョブ（印刷および製本の仕様）を解析して必要な印刷処理および製本処理を決定し、実行可能情報記憶部１０の実行可能情報に基づいて、決定した印刷処理および製本処理を実行可能な実行リソースを検索する。
【００４７】
管理サーバ１００は、さらに、実行リソース検索部２４で索出した実行リソース（以下、対象実行リソースという。）の処理能力情報を取得する処理能力情報取得部２６と、対象実行リソースの位置情報を取得する位置情報取得部２８と、対象実行リソースの移動能力情報を取得する移動能力情報取得部３０と、対象実行リソースの位置から納品先までの配送経路を含む地図情報を取得する地図情報取得部３２と、配送経路の道路情報を取得する道路情報取得部３４とを有して構成されている。
【００４８】
管理サーバ１００は、さらに、処理能力情報取得部２６で取得した処理能力情報に基づいて、対象実行リソースのうち移動印刷車両２００が印刷処理を完了するまでに要する印刷処理時間を算出する印刷処理時間算出部３６と、処理能力情報取得部２６で取得した処理能力情報に基づいて、対象実行リソースのうち移動製本車両２１０が製本処理を完了するまでに要する製本処理時間を算出する製本処理時間算出部３８とを有して構成されている。
【００４９】
管理サーバ１００は、さらに、位置情報取得部２８、移動能力情報取得部３０、地図情報取得部３２および道路情報取得部３４で取得した位置情報、移動能力情報、地図情報および道路情報に基づいて、対象実行リソースのうち移動印刷車両２００が合流地点まで移動するのに要する移動時間を算出する移動時間算出部４０と、位置情報取得部２８、移動能力情報取得部３０、地図情報取得部３２、道路情報取得部３４および印刷ジョブ取得部２２で取得した位置情報、移動能力情報、地図情報、道路情報および印刷ジョブ（納品先の位置）に基づいて、対象実行リソースのうち移動製本車両２１０が合流地点から納品先まで移動するのに要する移動時間を算出する移動時間算出部４４とを有して構成されている。
【００５０】
管理サーバ１００は、さらに、対象実行リソースのうち印刷処理および製本処理を割り当てる実行リソースのすべての組み合わせについて、印刷処理時間算出部３６、製本処理時間算出部３８、移動時間算出部４０および移動時間算出部４４の算出結果を取得する算出結果取得部４６と、算出結果取得部４６および印刷ジョブ取得部２２で取得した算出結果および印刷ジョブ（納品期限）に基づいて、納品期限までに印刷処理および製本処理が完了する実行リソースの組み合わせを決定し、その組み合わせについて移動計画、印刷計画および製本計画を決定する計画決定部４８とを有して構成されている。
【００５１】
管理サーバ１００は、さらに、印刷ジョブ取得部２２で取得した印刷ジョブに含まれる取得先アドレスに基づいてコンテンツサーバからコンテンツを取得するコンテンツ取得部５０と、コンテンツ取得部５０で取得したコンテンツに基づいて印刷データを生成する印刷データ生成部５２とを有して構成されている。
管理サーバ１００は、さらに、計画決定部４８で決定した移動計画を示す移動計画情報を、印刷処理および製本処理を割り当てる実行リソースに送信する移動計画情報送信部５４と、計画決定部４８で決定した印刷計画を示す印刷計画情報および印刷データ生成部５２で生成した印刷データを、印刷処理を割り当てる移動印刷車両２００に送信する印刷計画情報送信部５６と、計画決定部４８で決定した製本計画を示す製本計画情報を、製本処理を割り当てる移動製本車両２１０に送信する製本計画情報送信部５８とを有して構成されている。
【００５２】
次に、移動印刷車両２００の機能概要を説明する。
移動印刷車両２００は、例えば、ワンボックスタイプやトレーラタイプの自動車等からなり、図示しないが、車両本体と、車両本体の下部に回転可能に取り付けられた複数の車軸と、各車軸の両端にそれぞれ取り付けられた複数の車輪と、エンジンと、エンジンの動力を車軸に伝達する動力伝達機構とを有して移動機構が構成されている。なお、移動印刷車両２００は、他の自動車により牽引されるコンテナとして構成することもできる。
【００５３】
車両本体には、図２に示すように、移動計画情報を受信する移動計画情報受信部６０と、移動計画情報受信部６０で受信した移動計画情報に基づいて移動案内を行うカーナビ等の移動案内部６２と、印刷計画情報および印刷データを受信する印刷計画情報受信部６４と、印刷装置６６と、印刷計画情報受信部６４で受信した印刷計画情報および印刷データに基づいて印刷装置６６を制御する印刷制御部６８とが搭載されている。その他、印刷用紙を搭載する用紙ストック、印刷済みの用紙を搭載する排紙ストック、および印刷に使用するインクを搭載するインクストック等も搭載されている。また、車両本体には、オペレータが車内で印刷作業を行えるスペースが確保されている。
【００５４】
移動印刷車両２００は、独自に電源供給可能なように発電装置やバッテリーなどを備えるのが好ましいが、停車時に他の建物などからコンセントを接続して電源供給ができるように構成してもよい。また、印刷装置６６が例えばオフセット印刷などのように何らかの水を使用するタイプであれば、給水設備を内蔵するか、または外部の水道などと接続できる配管設備を備えてもよい。
【００５５】
移動印刷車両２００は、印刷装置６６における排紙ストック近傍に開閉ドアを備え、印刷結果である印刷物を車外に容易に取り出せる構造になっている。すなわち、印刷装置６６の排紙ストックを開閉ドアに向けて配置し、車外からアクセス可能とするのが好ましい。
次に、移動製本車両２１０の機能概要を説明する。
【００５６】
移動製本車両２１０は、移動印刷車両２００と同様の移動機構を有して構成されている。
車両本体には、図２に示すように、移動計画情報を受信する移動計画情報受信部７０と、移動計画情報受信部７０で受信した移動計画情報に基づいて移動案内を行うカーナビ等の移動案内部７２と、製本計画情報を受信する製本計画情報受信部７４と、製本装置７６と、製本計画情報受信部７４で受信した製本計画情報に基づいて製本装置７６を制御する製本制御部７８とが搭載されている。また、車両本体には、オペレータが車内で製本作業を行えるスペースが確保されている。
【００５７】
製本装置としては、例えば、折機、中綴じ製本機、無線綴じ製本機、上製本機、断裁機、封緘機等があるが、本実施の形態では、製本装置７６としてそれらの機種を包含するものとする。
移動製本車両２１０は、独自に電源供給可能なように発電装置やバッテリーなどを備えるのが好ましいが、停車時に他の建物などからコンセントを接続して電源供給ができるように構成してもよい。
【００５８】
移動製本車両２１０は、製本装置７６における排出ストック近傍に開閉ドアを備え、製本結果である製品を車外に容易に取り出せる構造になっている。すなわち、製本装置７６の排出ストックを開閉ドアに向けて配置し、車外からアクセス可能とするのが好ましい。
次に、管理サーバ１００の構成を詳細に説明する。
図３は、管理サーバ１００のハードウェア構成を示す図である。
【００５９】
管理サーバ１００は、図３に示すように、制御プログラムに基づいて演算およびシステム全体を制御するＣＰＵ８０と、所定領域にあらかじめＣＰＵ８０の制御プログラム等を格納しているＲＯＭ８２と、ＲＯＭ８２等から読み出したデータやＣＰＵ８０の演算過程で必要な演算結果を格納するためのＲＡＭ８４と、外部装置に対してデータの入出力を媒介するＩ／Ｆ８８とで構成されており、これらは、データを転送するための信号線であるバス８９で相互にかつデータ授受可能に接続されている。
【００６０】
Ｉ／Ｆ８８には、外部装置として、ヒューマンインターフェースとしてデータの入力が可能なキーボードやマウス等からなる入力装置９０と、データやテーブル等をファイルとして格納する記憶装置９２と、画像信号に基づいて画面を表示する表示装置９４と、ネットワーク１９９に接続するための信号線とが接続されている。
次に、印刷ジョブのデータ構造を説明する。
【００６１】
図４は、印刷ジョブのデータ構造を示す図である。
印刷ジョブは、図４に示すように、所定の開始タグ５００と終了タグ５０２との間に、開始タグと終了タグとのタグセットを入れ子状に記述することにより、納品仕様、印刷処理および製本処理を設定する。
開始タグ５００および終了タグ５０２の間には、納品仕様を設定するタグセット５０４が記述されている。
【００６２】
タグセット５０４の間には、受注日時、コンテンツの納品期限であるコンテンツ納期、製品の納品期限である製品納期、納品先の位置および製品の数量がそれぞれ対応のタグセットにより記述されている。
開始タグ５００および終了タグ５０２の間には、さらに、印刷処理を設定するタグセット５０６、５０８と、製本処理を設定するタグセット５１０とが記述されている。
【００６３】
タグセット５０６、５０８の間には、印刷処理の内容、用紙サイズ、用紙種類、仕上がりサイズ、コンテンツの取得先アドレスおよび印刷物の出力先がそれぞれ対応のタグセットにより記述されている。
タグセット５１０の間には、製本処理の内容、用紙サイズに対応する封筒サイズ、印刷物の出力先に対応する封筒元、用紙サイズに対応する内容物サイズ、印刷物の出力先に対応する内容物元および製品の出力先がそれぞれ対応のタグセットにより記述されている。
【００６４】
図４の例では、印刷処理１として、「http://some.server/content.pdf」のＵＲＬ（Uniform Resource Locator）により特定されるコンテンツサーバからコンテンツを取得し、Ａ６サイズの厚紙光沢紙に印刷を行うことが規定されている。また、印刷処理２として、「http://some.server/addressing.csv」のＵＲＬにより特定されるコンテンツサーバからＣＳＶ形式（カンマ区切り形式）のコンテンツを取得し、Ａ６封筒に可変印刷を行うことが規定されている。また、印刷処理１および印刷処理２で使用するコンテンツがコンテンツサーバに準備されるのは、2005年12月20日10時であることが規定されている。また、製本処理として、印刷処理２で印刷した封筒に、印刷処理１で印刷した内容物を封緘し、この製品を、2005年12月20日12時までに、○×郵便局に４００セット納品することが規定されている。
【００６５】
なお、図４の例では、２つの印刷処理および１つの製本処理を設定した場合を示したが、これに限らず、印刷ジョブには、任意の数の印刷処理および製本処理を設定することができる。
次に、記憶装置９２のデータ構造を説明する。
記憶装置９２は、実行可能情報記憶部１０を構成し、各実行リソースごとに実行可能情報を登録した実行可能情報テーブル（不図示）を記憶している。
【００６６】
記憶装置９２は、さらに、処理能力情報記憶部１２を構成し、各実行リソースごとに処理能力情報を登録した処理能力情報テーブル４００を記憶している。
図５は、処理能力情報テーブル４００のデータ構造を示す図である。
処理能力情報テーブル４００には、図５に示すように、各実行リソースごとに１つのレコードが登録されている。各レコードは、実行リソースの名称、および印刷装置６６または製本装置７６の処理能力をそれぞれ登録するフィールドを含んで構成されている。
【００６７】
記憶装置９２は、さらに、位置情報記憶部１４を構成し、各実行リソースごとに位置情報を登録した位置情報テーブル（不図示）を記憶している。位置情報は、例えば、実行リソースがネットワーク１９９と通信する際に利用する基地局（不図示）や、実行リソースから取得することができる。実行リソースの位置は逐次変化するので、位置情報は、移動計画を決定する際か定期的に取得するのが好ましい。
【００６８】
記憶装置９２は、さらに、移動能力情報記憶部１６を構成し、各実行リソースごとに移動能力情報を登録した移動能力情報テーブル（不図示）を記憶している。
記憶装置９２は、さらに、地図情報記憶部１８および道路情報記憶部２０を構成し、地図情報および道路情報を記憶している。道路情報は、例えば、ＶＩＣＳ（Vehicle Information and Communication System）センタから取得することができる。道路事情は逐次変化するので、道路情報は、定期的に取得するのが好ましい。
【００６９】
次に、ＣＰＵ８０で実行される処理を説明する。
ＣＰＵ８０は、マイクロプロセッシングユニット等からなり、ＲＯＭ８２の所定領域に格納されている所定のプログラムを起動させ、そのプログラムに従って、図６のフローチャートに示す移動印刷サービス提供処理を実行する。
図６は、移動印刷サービス提供処理を示すフローチャートである。
【００７０】
移動印刷サービス提供処理は、ＣＰＵ８０において実行されると、図６に示すように、まず、ステップＳ１００に移行する。
ステップＳ１００では、印刷ジョブを取得し、ステップＳ１０２に移行して、取得した印刷ジョブを解析して必要な印刷処理および製本処理を決定し、実行可能情報テーブルに基づいて、決定した印刷処理および製本処理を実行可能な実行リソースを検索し、ステップＳ１０４に移行する。
【００７１】
ステップＳ１０４では、索出した対象実行リソースのうち印刷処理および製本処理を割り当てる実行リソースの組み合わせについて移動計画、印刷計画および製本計画を決定する計画決定処理を実行し、ステップＳ１０６に移行する。
ステップＳ１０６では、取得した印刷ジョブに含まれる取得先アドレスに基づいてコンテンツサーバからコンテンツを取得し、ステップＳ１０８に移行して、取得したコンテンツに基づいて印刷データを生成し、ステップＳ１１０に移行する。
【００７２】
ステップＳ１１０では、ステップＳ１０４の計画決定処理で決定した移動計画を示す移動計画情報を生成する。移動計画情報は、例えば、配送経路に沿って実行リソースを合流地点または納品先に案内するための案内情報、並びに出発時刻および到着時刻を示すスケジュール情報を含む。移動計画情報は、複数の実行リソースに対して１つ生成してもよいし、各実行リソースごとに生成してもよい。
【００７３】
次いで、ステップＳ１１２に移行して、ステップＳ１０４の計画決定処理で決定した印刷計画を示す印刷計画情報を生成する。印刷計画情報は、例えば、印刷ジョブのタグセット５０６、５０８により記述された設定情報、並びに印刷開始時刻および印刷終了時刻を示すスケジュール情報を含む。印刷計画情報は、複数の移動印刷車両２００に対して１つ生成してもよいし、各移動印刷車両２００ごとに生成してもよい。
【００７４】
次いで、ステップＳ１１４に移行して、ステップＳ１０４の計画決定処理で決定した製本計画を示す製本計画情報を生成する。製本計画情報は、例えば、印刷ジョブのタグセット５１０により記述された設定情報、並びに製本開始時刻および製本終了時刻を示すスケジュール情報を含む。製本計画情報は、複数の移動製本車両２１０に対して１つ生成してもよいし、各移動製本車両２１０ごとに生成してもよい。
【００７５】
次いで、ステップＳ１１６に移行して、生成した移動計画情報を、印刷処理および製本処理を割り当てる実行リソースに送信し、ステップＳ１１８に移行して、生成した印刷計画情報および印刷データを、印刷処理を割り当てる移動印刷車両２００に送信し、ステップＳ１２０に移行して、生成した製本計画情報を、製本処理を割り当てる移動製本車両２１０に送信し、一連の処理を終了して元の処理に復帰させる。
【００７６】
次に、ステップＳ１０４の計画決定処理を詳細に説明する。
図７は、ステップＳ１０４の計画決定処理を示すフローチャートである。
計画決定処理は、ステップＳ１０４において実行されると、図７に示すように、まず、ステップＳ２００に移行する。
ステップＳ２００では、対象実行リソースの位置から納品先までの配送経路を含む地図情報を記憶装置９２から取得し、ステップＳ２０２に移行して、配送経路の道路情報を記憶装置９２から取得し、ステップＳ２０４に移行する。
【００７７】
ステップＳ２０４では、対象実行リソースのなかから印刷処理および製本処理を割り当てる実行リソースの組み合わせを選択し、ステップＳ２０６に移行して、選択した組み合わせに係る移動製本車両２１０（以下、選択移動製本車両２１０という。）の位置情報を位置情報テーブルから取得し、ステップＳ２０８に移行する。
ステップＳ２０８では、選択した組み合わせに係る移動印刷車両２００のなかからいずれか（以下、選択移動印刷車両２００という。）を選択し、ステップＳ２１０に移行して、選択移動印刷車両２００の位置情報を位置情報テーブルから取得し、ステップＳ２１２に移行して、選択移動印刷車両２００の移動能力情報を移動能力情報テーブルから取得し、ステップＳ２１４に移行する。
【００７８】
ステップＳ２１４では、ステップＳ２００、Ｓ２０６、Ｓ２１０で取得した地図情報および位置情報に基づいて、選択移動印刷車両２００の位置から合流地点までの配送経路の距離を算出し、算出した配送経路の距離およびステップＳ２１２で取得した移動能力情報に基づいて、選択移動印刷車両２００が合流地点まで移動するのに要する移動時間を算出し、ステップＳ２０２で取得した道路情報に基づいて、算出した移動時間を補正する。
【００７９】
次いで、ステップＳ２１６に移行して、現在時刻を印刷開始時刻として設定する。ただし、選択移動印刷車両２００の前工程を担う移動印刷車両２００が存在する場合は、前行程を担う移動印刷車両２００の印刷終了時刻および到着時刻のうち長い方を印刷開始時刻として設定する。前行程を担う移動印刷車両２００が複数存在する場合は、それら移動印刷車両２００の印刷終了時刻および到着時刻のうち最も長いものを印刷開始時刻として設定する。
【００８０】
次いで、ステップＳ２１８に移行して、選択移動印刷車両２００の処理能力情報を処理能力情報テーブル４００から取得し、ステップＳ２２０に移行して、未割当の印刷処理のうちいずれかを選択移動印刷車両２００に割り当て、取得した処理能力情報に基づいて、割り当てた印刷処理を選択移動印刷車両２００が完了するまでに要する印刷処理時間を算出し、算出した印刷処理時間を印刷開始時刻に加算して印刷終了時刻を算出する。
【００８１】
次いで、ステップＳ２２２に移行して、すべての印刷処理についてステップＳ２０８〜Ｓ２２０の処理が終了したか否かを判定し、すべての印刷処理について処理が終了したと判定したとき(Yes)は、ステップＳ２２４に移行する。
ステップＳ２２４では、選択移動製本車両２１０の移動能力情報を移動能力情報テーブルから取得し、ステップＳ２２６に移行する。
【００８２】
ステップＳ２２６では、ステップＳ１００、Ｓ２００、Ｓ２０６で取得した印刷ジョブ、地図情報および位置情報に基づいて、合流地点から納品先までの配送経路の距離を算出し、算出した配送経路の距離およびステップＳ２２４で取得した移動能力情報に基づいて、選択移動製本車両２１０が合流地点から納品先まで移動するのに要する移動時間を算出し、ステップＳ２０２で取得した道路情報に基づいて、算出した移動時間を補正する。
【００８３】
次いで、ステップＳ２２８に移行して、選択移動製本車両２１０の前工程を担う移動印刷車両２００の印刷終了時刻および到着時刻のうち長い方を製本開始時刻として設定する。前行程を担う移動印刷車両２００が複数存在する場合は、それら移動印刷車両２００の印刷終了時刻および到着時刻のうち最も長いものを製本開始時刻として設定する。
次いで、ステップＳ２３０に移行して、選択移動製本車両２１０の処理能力情報を処理能力情報テーブル４００から取得し、ステップＳ２３２に移行して、取得した処理能力情報に基づいて、製本処理を選択移動製本車両２１０が完了するまでに要する製本処理時間を算出し、算出した製本処理時間を製本開始時刻に加算して製本終了時刻を算出する。
【００８４】
次いで、ステップＳ２３４に移行して、印刷処理および製本処理を割り当てる実行リソースのすべての組み合わせについてステップＳ２０４〜Ｓ２３２の処理が終了したか否かを判定し、すべての組み合わせについて処理が終了したと判定したとき(Yes)は、ステップＳ２３６に移行する。
ステップＳ２３６では、ステップＳ２１４、Ｓ２２０、Ｓ２２６、Ｓ２３２の算出結果およびステップＳ１００で取得した印刷ジョブに基づいて、製品の納品期限までに印刷処理および製本処理が完了する実行リソースの組み合わせを決定し、その組み合わせについて移動計画、印刷計画および製本計画を決定し、一連の処理を終了して元の処理に復帰させる。
【００８５】
一方、ステップＳ２３６で、すべての組み合わせについて処理が終了していないと判定したとき(No)は、ステップＳ２０４に移行する。
一方、ステップＳ２２２で、すべての印刷処理について処理が終了していないと判定したとき(No)は、ステップＳ２０８に移行する。
次に、本実施の形態の動作を説明する。
【００８６】
図８は、実行リソースの現在位置を示す図である。
いま、図８に示すように、移動印刷車両Ａ、Ｂが移動製本車両Ｃから移動にそれぞれ３０分要するところに位置し、移動製本車両Ｃが納品先から移動に２０分要するところに位置しているとする。
管理サーバ１００では、ステップＳ１００を経て、印刷ジョブが取得される。ここで、図４の印刷ジョブが取得されたとする。そして、ステップＳ１０２を経て、印刷処理および製本処理を実行可能な実行リソースが検索される。
【００８７】
図９は、印刷処理および製本処理を実行可能な実行リソースの一覧を示す図である。
図４の印刷ジョブを解析すると、必要な印刷処理が２つ、製本処理が１つである。そこで、それら印刷処理および製本処理を実行可能な実行リソースとして、図９に示すように、２台の移動印刷車両Ａ、Ｂおよび１台の移動製本車両Ｃが索出される。
次いで、ステップＳ２００〜Ｓ２３４を経て、対象実行リソースのうち印刷処理および製本処理を割り当てる実行リソースのすべての組み合わせについて、移動時間、印刷終了時刻および製本終了時刻が算出される。
【００８８】
図１０は、印刷処理および製本処理を割り当てる各組み合わせについて印刷終了時刻および製本終了時刻の算出結果を示す図である。
図１０の例では、移動印刷車両Ａに印刷処理１、２を、移動製本車両Ｃに製本処理を割り当てた場合、移動印刷車両Ａに印刷処理１を、移動印刷車両Ｂに印刷処理２を、移動製本車両Ｃに製本処理を割り当てた場合、移動印刷車両Ｂに印刷処理１を、移動印刷車両Ａに印刷処理２を、移動製本車両Ｃに製本処理を割り当てた場合、および移動印刷車両Ｂに印刷処理１、２を、移動製本車両Ｃに製本処理を割り当てた場合のそれぞれについて、印刷開始時刻および製本開始時刻が設定され、印刷終了時刻および製本終了時刻が算出されている。
【００８９】
次いで、ステップＳ２３６を経て、各組み合わせのなかから、製品の納品期限までに印刷処理および製本処理が完了する実行リソースの組み合わせが決定され、その組み合わせについて移動計画、印刷計画および製本計画が決定される。
図４の印刷ジョブを解析すると、製品の納品期限は、2005年12月20日12時である。したがって、図１０を参照すると、２段目と３段目の候補が納品期限の前までに印刷処理および製本処理が完了するので、実行リソースの組み合わせとして２段目または３段目の候補のいずれかが決定される。
【００９０】
次いで、ステップＳ１０６、Ｓ１０８を経て、コンテンツサーバからコンテンツが取得され、取得されたコンテンツに基づいて印刷データが生成される。そして、ステップＳ１１０〜Ｓ１２０を経て、移動計画情報、印刷計画情報および製本計画情報が生成され、生成された移動計画情報、印刷計画情報、製本計画情報および印刷データが実行リソースに送信される。
【００９１】
移動印刷車両Ａ、Ｂでは、移動計画情報受信部６０により移動計画情報を受信すると、移動案内部６２により、受信した移動計画情報に基づいて移動案内が行われる。オペレータは、移動案内に従って運転し、移動印刷車両Ａ、Ｂを合流地点まで移動する。また、印刷計画情報受信部６４により印刷計画情報および印刷データを受信すると、印刷制御部６８により、受信した印刷計画情報および印刷データに基づいて印刷装置６６が制御され、印刷処理１、２が実行される。印刷処理１、２は、移動印刷車両Ａ、Ｂの移動中に実行される。
【００９２】
移動製本車両Ｃでは、移動印刷車両Ａ、Ｂの印刷結果を受け取り、移動計画情報受信部７０により移動計画情報を受信すると、移動案内部７２により、受信した移動計画情報に基づいて移動案内が行われる。オペレータは、移動案内に従って運転し、移動製本車両Ｃを合流地点から納品先まで移動する。また、製本計画情報受信部７４により製本計画情報を受信すると、製本制御部７８により、受信した製本計画情報に基づいて製本装置７６が制御され、製本処理が実行される。製本処理は、移動製本車両Ｃの移動中に実行される。
【００９３】
このようにして、本実施の形態では、印刷および製本の仕様、納品先の位置並びに納品期限を含む印刷ジョブを取得し、取得した印刷ジョブに基づいて、実行リソースの移動計画、移動印刷車両２００の印刷計画および移動製本車両２１０の製本計画を行う。
これにより、移動計画、印刷計画および製本計画に基づいて、実行リソースが連携し移動しながら印刷および製本を行うので、従来に比して、印刷処理および製本処理を効率的に行うことができる。また、複数の印刷装置６６または製本装置７６を備える実行リソースを利用するのではなく、印刷装置６６または製本装置７６を備える実行リソースを複数利用するので、納品指示の内容に応じて実行リソースを必要な数だけ手配すればよく、多数の配送を並行して行うような場合に、コストを低減するとともに実行リソースを効率的に運用することができる。
【００９４】
さらに、本実施の形態では、実行リソースの位置を示す位置情報を取得し、印刷装置６６および製本装置７６の処理能力を示す処理能力情報を取得し、取得した印刷ジョブ、位置情報および処理能力情報に基づいて、移動計画、印刷計画および製本計画を行う。
これにより、移動計画、印刷計画および製本計画をより詳細に行うことができるので、印刷処理および製本処理をさらに効率的に行うことができる。
【００９５】
さらに、本実施の形態では、実行リソースの位置から納品先までの配送経路を含む地図情報を取得し、取得した印刷ジョブおよび地図情報に基づいて、移動計画、印刷計画および製本計画を行う。
これにより、移動計画、印刷計画および製本計画をより詳細に行うことができるので、印刷処理および製本処理をさらに効率的に行うことができる。
【００９６】
さらに、本実施の形態では、移動印刷車両２００が合流地点まで移動するのに要する移動時間を算出し、移動印刷車両２００が印刷処理を完了するまでに要する印刷処理時間を算出し、移動製本車両２１０が合流地点から納品先まで移動するのに要する移動時間を算出し、移動製本車両２１０が製本処理を完了するまでに要する製本処理時間を算出し、印刷処理および製本処理を割り当てる実行リソースのすべての組み合わせについて、移動時間、印刷処理時間および製本処理時間の算出結果を取得し、取得した算出結果および印刷ジョブに基づいて、納品期限までに印刷処理および製本処理が完了する実行リソースの組み合わせを決定し、その組み合わせについて移動計画、印刷計画および製本計画を決定する。
【００９７】
これにより、移動計画、印刷計画および製本計画をより詳細に行うことができるので、印刷処理および製本処理をさらに効率的に行うことができる。
上記第１の実施の形態において、印刷ジョブは、形態１ないし５、７ないし１１、１３ないし１７の納品指示情報に対応し、移動印刷車両２００および移動製本車両２１０は、形態１、７または１３の移動体に対応し、移動印刷車両２００は、形態２ないし５、８ないし１１、１４ないし１７の第１移動体に対応している。また、移動製本車両２１０は、形態２ないし５、８ないし１１、１４ないし１７の第２移動体に対応し、印刷ジョブ取得部２２およびステップＳ１００は、形態１または２の納品指示情報取得手段に対応し、ステップＳ１００は、形態７、８、１３または１４の納品指示情報取得ステップに対応している。
【００９８】
また、上記第１の実施の形態において、各部２６〜４８およびステップＳ１０４は、形態１ないし５の管理手段に対応し、ステップＳ１０４は、形態７ないし１１、１３ないし１７の管理ステップに対応し、処理能力情報取得部２６およびステップＳ２１８、Ｓ２３０は、形態３の処理能力情報取得手段に対応している。また、ステップＳ２１８、Ｓ２３０は、形態９または１５の処理能力情報取得ステップに対応し、位置情報取得部２８およびステップＳ２０６、Ｓ２１０は、形態３の位置情報取得手段に対応し、ステップＳ２０６、Ｓ２１０は、形態９または１５の位置情報取得ステップに対応している。
【００９９】
また、上記第１の実施の形態において、地図情報取得部３２およびステップＳ２００は、形態４の地図情報取得手段に対応し、ステップＳ２００は、形態１０または１６の地図情報取得ステップに対応し、印刷処理時間算出部３６およびステップＳ２２０は、形態５の第１工程実施処理時間算出手段に対応している。また、ステップＳ２２０は、形態１１または１７の第１工程実施処理時間算出ステップに対応し、製本処理時間算出部３８およびステップＳ２３２は、形態５の第２工程実施処理時間算出手段に対応し、ステップＳ２３２は、形態１１または１７の第２工程実施処理時間算出ステップに対応している。
【０１００】
また、上記第１の実施の形態において、移動時間算出部４０およびステップＳ２１４は、形態５の第１移動時間算出手段に対応し、ステップＳ２１４は、形態１１または１７の第１移動時間算出ステップに対応し、移動時間算出部４４およびステップＳ２２６は、形態５の第２移動時間算出手段に対応している。また、ステップＳ２２６は、形態１１または１７の第２移動時間算出ステップに対応し、算出結果取得部４６およびステップＳ２０４、Ｓ２３４は、形態５の算出結果取得手段に対応し、ステップＳ２０４、Ｓ２３４は、形態１１または１７の算出結果取得ステップに対応している。
【０１０１】
また、上記第１の実施の形態において、計画決定部４８およびステップＳ２３６は、形態５の計画決定手段に対応し、ステップＳ２３６は、形態１１または１７の計画決定ステップに対応している。
次に、本発明の第２の実施の形態を図面を参照しながら説明する。図１１ないし図１５は、本発明に係る移動印刷サービス提供システムおよび移動印刷サービス提供プログラム、並びに移動印刷サービス提供方法の第２の実施の形態を示す図である。なお、以下、上記第１の実施の形態と異なる部分についてのみ説明し、上記第１の実施の形態と重複する部分については同一の符号を付して説明を省略する。
【０１０２】
まず、本実施の形態の概要を説明する。
図１１は、本実施の形態の概要を説明するための図である。
本実施の形態は、図１１に示すように、実行リソースを利用して移動印刷サービスを提供するが、上記第１の実施の形態と異なるのは、移動製本車両２１０の位置ではなく、所定の場所を合流地点として設定する点にある。合流地点には、納品先の位置も含まれる。
【０１０３】
まず、本発明を適用するネットワークシステムの機能概要を説明する。
図１２は、ネットワークシステムの機能概要を示す機能ブロック図である。
管理サーバ１００は、図１２に示すように、実行可能情報記憶部１０、処理能力情報記憶部１２、位置情報記憶部１４、移動能力情報記憶部１６、地図情報記憶部１８、道路情報記憶部２０、印刷ジョブ取得部２２、実行リソース検索部２４、処理能力情報取得部２６、位置情報取得部２８、移動能力情報取得部３０、地図情報取得部３２および道路情報取得部３４を有して構成されている。
【０１０４】
管理サーバ１００は、さらに、印刷処理時間算出部３６、製本処理時間算出部３８、移動時間算出部４０、４４、算出結果取得部４６、計画決定部４８、コンテンツ取得部５０、印刷データ生成部５２、移動計画情報送信部５４、印刷計画情報送信部５６および製本計画情報送信部５８を有して構成されている。
管理サーバ１００は、さらに、位置情報取得部２８、移動能力情報取得部３０、地図情報取得部３２および道路情報取得部３４で取得した位置情報、移動能力情報、地図情報および道路情報に基づいて、対象実行リソースのうち移動製本車両２１０が合流地点まで移動するのに要する移動時間を算出する移動時間算出部４２を有して構成されている。
【０１０５】
算出結果取得部４６は、対象実行リソースのうち印刷処理および製本処理を割り当てる実行リソース、並びに複数の合流地点のすべての組み合わせについて、印刷処理時間算出部３６、製本処理時間算出部３８、移動時間算出部４０および移動時間算出部４４の算出結果を取得する。
計画決定部４８は、算出結果取得部４６および印刷ジョブ取得部２２で取得した算出結果および印刷ジョブ（納品期限）に基づいて、納品期限までに印刷処理および製本処理が完了する実行リソース並びに合流地点の組み合わせを決定し、その組み合わせについて移動計画、印刷計画および製本計画を決定する。
【０１０６】
次に、記憶装置９２のデータ構造を説明する。
記憶装置９２は、各合流地点ごとに位置情報を登録した合流地点位置情報テーブルを記憶している。
次に、管理サーバ１００のＣＰＵ８０で実行される処理を説明する。
ＣＰＵ８０は、図７の計画決定処理に代えて、図１３のフローチャートに示す計画決定処理を実行する。
【０１０７】
図１３は、ステップＳ１０４の計画決定処理を示すフローチャートである。
計画決定処理は、ステップＳ１０４において実行されると、図１３に示すように、まず、ステップＳ３００に移行する。
ステップＳ３００、Ｓ３０２では、ステップＳ２００、Ｓ２０２と同様の処理を実行し、ステップＳ３０４に移行する。
【０１０８】
ステップＳ３０４では、対象実行リソースおよび複数の合流地点のなかから印刷処理および製本処理を割り当てる実行リソース並びに合流地点の組み合わせを選択し、ステップＳ３０６に移行して、選択した組み合わせに係る合流地点（以下、選択合流地点という。）の位置情報を合流地点位置情報テーブルから取得し、ステップＳ３０８に移行する。
ステップＳ３０８〜Ｓ３１２では、ステップＳ２０８〜Ｓ２１２と同様の処理を実行し、ステップＳ３１４に移行する。
【０１０９】
ステップＳ３１４では、ステップＳ３００、Ｓ３０６、Ｓ３１０で取得した地図情報および位置情報に基づいて、選択移動印刷車両２００の位置から選択合流地点までの配送経路の距離を算出し、算出した配送経路の距離およびステップＳ３１２で取得した移動能力情報に基づいて、選択移動印刷車両２００が選択合流地点まで移動するのに要する移動時間を算出し、ステップＳ３０２で取得した道路情報に基づいて、算出した移動時間を補正する。
【０１１０】
次いで、ステップＳ３１６〜Ｓ３２２に移行して、ステップＳ２１６〜Ｓ２２２と同様の処理を実行し、ステップＳ３２４、Ｓ３２６に移行して、ステップＳ２０６、Ｓ２２４と同様の処理を実行し、ステップＳ３２８に移行する。
ステップＳ３２８では、ステップＳ３００、Ｓ３０６、Ｓ３２４で取得した地図情報および位置情報に基づいて、選択移動製本車両２１０の位置から選択合流地点までの配送経路の距離を算出し、算出した配送経路の距離およびステップＳ３１２で取得した移動能力情報に基づいて、選択移動製本車両２１０が選択合流地点まで移動するのに要する移動時間を算出し、ステップＳ３０２で取得した道路情報に基づいて、算出した移動時間を補正する。
【０１１１】
次いで、ステップＳ３３０に移行して、ステップＳ１００、Ｓ３００、Ｓ３０６で取得した印刷ジョブ、地図情報および位置情報に基づいて、選択合流地点から納品先までの配送経路の距離を算出し、算出した配送経路の距離およびステップＳ３２６で取得した移動能力情報に基づいて、選択移動製本車両２１０が選択合流地点から納品先まで移動するのに要する移動時間を算出し、ステップＳ３０２で取得した道路情報に基づいて、算出した移動時間を補正する。
【０１１２】
次いで、ステップＳ３３２〜Ｓ３３６に移行して、ステップＳ２２８〜Ｓ２３２と同様の処理を実行し、ステップＳ３３８に移行して、印刷処理および製本処理を割り当てる実行リソース、並びに複数の合流地点のすべての組み合わせについてステップＳ３０４〜Ｓ３３６の処理が終了したか否かを判定し、すべての組み合わせについて処理が終了したと判定したとき(Yes)は、ステップＳ３４０に移行する。
【０１１３】
ステップＳ３４０では、ステップＳ３１４、Ｓ３２０、Ｓ３２８、Ｓ３３０、Ｓ３３６の算出結果およびステップＳ１００で取得した印刷ジョブに基づいて、製品の納品期限までに印刷処理および製本処理が完了する実行リソース並びに合流地点の組み合わせを決定し、その組み合わせについて移動計画、印刷計画および製本計画を決定し、一連の処理を終了して元の処理に復帰させる。
【０１１４】
一方、ステップＳ３４０で、すべての組み合わせについて処理が終了していないと判定したとき(No)は、ステップＳ３０４に移行する。
次に、本実施の形態の動作を説明する。
図１４は、実行リソースの現在位置を示す図である。
いま、図１４に示すように、合流地点Ａが納品先から移動に２０分要するところに設定され、移動印刷車両Ａ、Ｂが合流地点Ａから移動にそれぞれ３０分要するところに位置し、移動製本車両Ｃが納品先に位置しているとする。
【０１１５】
管理サーバ１００では、ステップＳ１００を経て、印刷ジョブが取得される。ここで、図４の印刷ジョブが取得されたとする。そして、ステップＳ１０２を経て、印刷処理および製本処理を実行可能な実行リソースが検索される。
図４の印刷ジョブを解析すると、必要な印刷処理が２つ、製本処理が１つである。そこで、それら印刷処理および製本処理を実行可能な実行リソースとして、図９に示すように、２台の移動印刷車両Ａ、Ｂおよび１台の移動製本車両Ｃが索出される。
【０１１６】
次いで、ステップＳ３００〜Ｓ３３８を経て、対象実行リソースのうち印刷処理および製本処理を割り当てる実行リソース、並びに複数の合流地点のすべての組み合わせについて、移動時間、印刷終了時刻および製本終了時刻が算出される。ここで、合流地点としては、合流地点Ａおよび納品先が候補として選択される。
図１５は、印刷処理および製本処理を割り当てる各組み合わせについて印刷終了時刻および製本終了時刻の算出結果を示す図である。
【０１１７】
図１５の例では、移動印刷車両Ａに印刷処理１を、移動印刷車両Ｂに印刷処理２を、移動製本車両Ｃに製本処理を割り当て、合流地点として合流地点Ａを選択した場合、および移動印刷車両Ａに印刷処理１を、移動印刷車両Ｂに印刷処理２を、移動製本車両Ｃに製本処理を割り当て、合流地点として納品先を選択した場合のそれぞれについて、印刷開始時刻および製本開始時刻が設定され、印刷終了時刻および製本終了時刻が算出されている。
【０１１８】
次いで、ステップＳ３４０を経て、各組み合わせのなかから、製品の納品期限までに印刷処理および製本処理が完了する実行リソース並びに合流地点の組み合わせが決定され、その組み合わせについて移動計画、印刷計画および製本計画が決定される。
図４の印刷ジョブを解析すると、製品の納品期限は、2005年12月20日12時である。したがって、図１５を参照すると、１段目の候補が納品期限の前までに印刷処理および製本処理が完了するので、実行リソースおよび合流地点の組み合わせとして１段目の候補が決定される。
【０１１９】
次いで、ステップＳ１０６、Ｓ１０８を経て、コンテンツサーバからコンテンツが取得され、取得されたコンテンツに基づいて印刷データが生成される。そして、ステップＳ１１０〜Ｓ１２０を経て、移動計画情報、印刷計画情報および製本計画情報が生成され、生成された移動計画情報、印刷計画情報、製本計画情報および印刷データが実行リソースに送信される。
【０１２０】
移動印刷車両Ａ、Ｂでは、移動計画情報受信部６０により移動計画情報を受信すると、移動案内部６２により、受信した移動計画情報に基づいて移動案内が行われる。オペレータは、移動案内に従って運転し、移動印刷車両Ａ、Ｂを合流地点Ａまで移動する。また、印刷計画情報受信部６４により印刷計画情報および印刷データを受信すると、印刷制御部６８により、受信した印刷計画情報および印刷データに基づいて印刷装置６６が制御され、印刷処理１、２が実行される。印刷処理１、２は、移動印刷車両Ａ、Ｂの移動中に実行される。
【０１２１】
移動製本車両Ｃでは、移動計画情報受信部７０により移動計画情報を受信すると、移動案内部７２により、受信した移動計画情報に基づいて移動案内が行われる。オペレータは、移動案内に従って運転し、移動製本車両Ｃを合流地点Ａまで移動する。そして、合流地点Ａにおいて移動印刷車両Ａ、Ｂの印刷結果を受け取り、オペレータは、引き続き、移動案内に従って運転し、移動製本車両Ｃを合流地点Ａから納品先まで移動する。また、製本計画情報受信部７４により製本計画情報を受信すると、製本制御部７８により、受信した製本計画情報に基づいて製本装置７６が制御され、製本処理が実行される。製本処理は、移動製本車両Ｃの移動中に実行される。
【０１２２】
このようにして、本実施の形態では、移動印刷車両２００が合流地点まで移動するのに要する移動時間を算出し、移動印刷車両２００が印刷処理を完了するまでに要する印刷処理時間を算出し、移動製本車両２１０が合流地点まで移動するのに要する移動時間を算出し、移動製本車両２１０が合流地点から納品先まで移動するのに要する移動時間を算出し、移動製本車両２１０が製本処理を完了するまでに要する製本処理時間を算出し、印刷処理および製本処理を割り当てる実行リソース、並びに複数の合流地点のすべての組み合わせについて、移動時間、印刷処理時間および製本処理時間の算出結果を取得し、取得した算出結果および印刷ジョブに基づいて、納品期限までに印刷処理および製本処理が完了する実行リソース並びに合流地点の組み合わせを決定し、その組み合わせについて移動計画、印刷計画および製本計画を決定する。
【０１２３】
これにより、移動計画、印刷計画および製本計画をより詳細に行うことができるので、印刷処理および製本処理をさらに効率的に行うことができる。
上記第２の実施の形態において、印刷ジョブは、形態１ないし４、６ないし１０、１２ないし１６または１８の納品指示情報に対応し、移動印刷車両２００および移動製本車両２１０は、形態１、７または１３の移動体に対応し、移動印刷車両２００は、形態２ないし４、６、８ないし１０、１２、１４ないし１６または１８の第１移動体に対応している。また、移動製本車両２１０は、形態２ないし４、６、８ないし１０、１２、１４ないし１６または１８の第２移動体に対応し、印刷ジョブ取得部２２およびステップＳ１００は、形態１または２の納品指示情報取得手段に対応し、ステップＳ１００は、形態７、８、１３または１４の納品指示情報取得ステップに対応している。
【０１２４】
また、上記第２の実施の形態において、各部２６〜４８およびステップＳ１０４は、形態１ないし４または６の管理手段に対応し、ステップＳ１０４は、形態７ないし１０、１２ないし１６または１８の管理ステップに対応し、処理能力情報取得部２６およびステップＳ３１８、Ｓ３３４は、形態３の処理能力情報取得手段に対応している。また、ステップＳ３１８、Ｓ３３４は、形態９または１５の処理能力情報取得ステップに対応し、位置情報取得部２８およびステップＳ３１０、Ｓ３２４は、形態３の位置情報取得手段に対応し、ステップＳ３１０、Ｓ３２４は、形態９または１５の位置情報取得ステップに対応している。
【０１２５】
また、上記第２の実施の形態において、地図情報取得部３２およびステップＳ３００は、形態４の地図情報取得手段に対応し、ステップＳ３００は、形態１０または１６の地図情報取得ステップに対応し、印刷処理時間算出部３６およびステップＳ３２０は、形態６の第１工程実施処理時間算出手段に対応している。また、ステップＳ３２０は、形態１２または１８の第１工程実施処理時間算出ステップに対応し、製本処理時間算出部３８およびステップＳ３３６は、形態６の第２工程実施処理時間算出手段に対応し、ステップＳ３３６は、形態１２または１８の第２工程実施処理時間算出ステップに対応している。
【０１２６】
また、上記第２の実施の形態において、移動時間算出部４０およびステップＳ３１４は、形態６の第１移動時間算出手段に対応し、ステップＳ３１４は、形態１２または１８の第１移動時間算出ステップに対応し、移動時間算出部４２およびステップＳ３２８は、形態６の第２移動時間算出手段に対応している。また、ステップＳ３２８は、形態１２または１８の第２移動時間算出ステップに対応し、移動時間算出部４４およびステップＳ３３０は、形態６の第３移動時間算出手段に対応し、ステップＳ３３０は、形態１２または１８の第３移動時間算出ステップに対応している。
【０１２７】
また、上記第２の実施の形態において、算出結果取得部４６およびステップＳ３０４、Ｓ３３８は、形態６の算出結果取得手段に対応し、ステップＳ３０４、Ｓ３３８は、形態１２または１８の算出結果取得ステップに対応し、計画決定部４８およびステップＳ３４０は、形態６の計画決定手段に対応している。また、ステップＳ３４０は、形態１２または１８の計画決定ステップに対応している。
【０１２８】
なお、上記第１および第２の実施の形態においては、製本処理が１つしか存在しない場合について説明したが、これに限らず、製本処理が複数存在する場合は、図７および図１３の計画決定処理において印刷処理と同様にループを回せばよい。具体的には、上記第１の実施の形態にあっては、ステップＳ２０８、Ｓ２２２に対応する処理を、上記第２の実施の形態にあっては、ステップＳ３０８、Ｓ３２２に対応する処理をそれぞれ追加する。
【０１２９】
また、上記第１および第２の実施の形態において、実行可能情報は、記憶装置９２にあらかじめ記憶させるように構成したが、これに限らず、記憶装置９２には記憶させず、必要に応じて実行リソースから取得するように構成することもできる。このことは、位置情報、処理能力情報および移動能力情報についても同様である。
また、上記第１および第２の実施の形態においては、実行リソースの移動時間を算出するように構成したが、これに限らず、多点間の移動時間を地図情報に含めて保持しておき、位置情報に基づいて地図情報から移動時間を取得するように構成することもできる。
【０１３０】
また、上記第１および第２の実施の形態においては、印刷処理および製本処理を割り当てる実行リソースのすべての組み合わせについて、印刷終了時刻および製本終了時刻を算出するように構成したが、その際、同じ実行リソースが連続して異なる処理を行なう場合には、処理の間に段取り替え時間を見込んでもよいし、工程の間で半完成品の受け渡しがある場合には受け渡しに要する時間を見込んでもよい。
【０１３１】
また、上記第１および第２の実施の形態においては、受注日時およびコンテンツ納期が同時である例を示したが、これに限らず、コンテンツ納期よりも受注日時が前である場合は、コンテンツ納期に達した時点で実行リソースが最適な場所に位置するように実行リソースを事前に配置するように構成することもできる。ここで、最適な場所とは、最短で納品ができる組み合わせが得られる位置である。
【０１３２】
また、上記第１および第２の実施の形態においては、印刷および製本を行うように構成したが、これに限らず、印刷または印刷後処理に関する工程であれば、複数の工程を任意の順序、任意の区分または任意の組み合わせで行うことができる。ここで、印刷または印刷後処理に関する工程としては、例えば、印刷、追い刷り、箔押し、ニスコート、ラミネート、折り、帳合、製本、裁断および封緘が含まれる。
【０１３３】
具体的な例を挙げると、ダイレクトメールを作成するのに、まず、カラー印刷が可能な印刷機でカラーの背景を印刷する工程を行い、続いて白黒のデジタル印刷機でバリアブル印刷（ダイレクトメールの宛名や、請求書の個別の内容等）の追い刷り工程を行い、封筒に入れるために折り機で折りの工程を行い、封緘機で封緘の工程を行うといった一連の工程の組み合わせで、印刷済み、封緘済みのダイレクトメールを作成する。他の例を挙げると、カラーページと白黒ページが混在する書籍を作成する場合を考えると、カラー印刷機でカラーページを印刷する工程、白黒印刷機で白黒ページを印刷する工程、それぞれの印刷済みページを１部ずつページ順に並べる帳合の工程、帳合済みのページを製本する製本の工程を経て、書籍を作成する。
【０１３４】
また、上記第１および第２の実施の形態においては、実行リソースを自動車として構成したが、これに限らず、印刷装置６６または製本装置７６を移動可能に搭載した架台として構成し、印刷工場内に敷設したレール上に沿って架台を移動させ、印刷ジョブに応じて最適な工程配置を行う場合にも適用することができる。
また、上記第１および第２の実施の形態においては、管理サーバ１００で印刷データを生成するように構成したが、これに限らず、印刷制御部６８で印刷データを生成するように構成することもできる。
【０１３５】
また、上記第１および第２の実施の形態においては、図６、図７および図１３のフローチャートに示す処理を実行するにあたっては、いずれもＲＯＭ８２にあらかじめ格納されている制御プログラムを実行する場合について説明したが、これに限らず、これらの手順を示したプログラムが記憶された記憶媒体から、そのプログラムをＲＡＭ８４に読み込んで実行するようにしてもよい。
【０１３６】
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。
【０１３７】
また、上記第１および第２の実施の形態においては、本発明に係る移動印刷サービス提供システムおよび移動印刷サービス提供プログラム、並びに移動印刷サービス提供方法を、複数の実行リソースが連携し移動しながら印刷および製本を行う場合について適用したが、これに限らず、例えば、複数の移動印刷車両２００が連携し移動しながら印刷だけを行う場合、または複数の移動製本車両２１０が連携し移動しながら製本だけを行う場合にも同様に適用することができる。
【図面の簡単な説明】
【０１３８】
【図１】本実施の形態の概要を説明するための図である。
【図２】ネットワークシステムの機能概要を示す機能ブロック図である。
【図３】管理サーバ１００のハードウェア構成を示す図である。
【図４】印刷ジョブのデータ構造を示す図である。
【図５】処理能力情報テーブル４００のデータ構造を示す図である。
【図６】移動印刷サービス提供処理を示すフローチャートである。
【図７】ステップＳ１０４の計画決定処理を示すフローチャートである。
【図８】実行リソースの現在位置を示す図である。
【図９】印刷処理および製本処理を実行可能な実行リソースの一覧を示す図である。
【図１０】印刷処理および製本処理を割り当てる各組み合わせについて印刷終了時刻および製本終了時刻の算出結果を示す図である。
【図１１】本実施の形態の概要を説明するための図である。
【図１２】ネットワークシステムの機能概要を示す機能ブロック図である。
【図１３】ステップＳ１０４の計画決定処理を示すフローチャートである。
【図１４】実行リソースの現在位置を示す図である。
【図１５】印刷処理および製本処理を割り当てる各組み合わせについて印刷終了時刻および製本終了時刻の算出結果を示す図である。
【符号の説明】
【０１３９】
１００…管理サーバ、  １０…実行可能情報記憶部、  １２…処理能力情報記憶部、  １４…位置情報記憶部、  １６…移動能力情報記憶部、  １８…地図情報記憶部、  ２０…道路情報記憶部、  ２２…印刷ジョブ取得部、  ２４…実行リソース検索部、  ２６…処理能力情報取得部、  ２８…位置情報取得部、  ３０…移動能力情報取得部、  ３２…地図情報取得部、  ３４…道路情報取得部、  ３６…印刷処理時間算出部、  ３８…製本処理時間算出部、  ４０…移動時間算出部、  ４２…移動時間算出部、  ４４…移動時間算出部、  ４６…算出結果取得部、  ４８…計画決定部、  ５０…コンテンツ取得部、  ５２…印刷データ生成部、  ５４…移動計画情報送信部、  ５６…印刷計画情報送信部、  ５８…製本計画情報送信部、  ２００…移動印刷車両、  ６０…移動計画情報受信部、  ６２…移動案内部、  ６４…印刷計画情報受信部、  ６６…印刷装置、  ６８…印刷制御部、  ２１０…移動製本車両、  ７０…移動計画情報受信部、  ７２…移動案内部、  ７４…製本計画情報受信部、  ７６…製本装置、  ７８…製本制御部、  ８０…ＣＰＵ、  ８２…ＲＯＭ、  ８４…ＲＡＭ、  ８８…Ｉ／Ｆ、  ８９…バス、  ９０…入力装置、  ９２…記憶装置、  ９４…表示装置、  １９９…ネットワーク、  ４００…処理能力情報テーブル、  ５００〜５１０…タグセット
【図１】
0004655926.tif 000002
【図２】
0004655926.tif 000003
【図３】
0004655926.tif 000004
【図４】
0004655926.tif 000005
【図５】
0004655926.tif 000006
【図６】
0004655926.tif 000007
【図７】
0004655926.tif 000008
【図８】
0004655926.tif 000009
【図９】
0004655926.tif 000010
【図１０】
0004655926.tif 000011
【図１１】
0004655926.tif 000012
【図１２】
0004655926.tif 000013
【図１３】
0004655926.tif 000014
【図１４】
0004655926.tif 000015
【図１５】
0004655926.tif 000016